(57)【要約】      （修正有）【課題】動作効率がよく、こぼれにくい、安全性の高い、掬う器具であるおたま杓子を提供する。【解決手段】おたま杓子の碗部上面が水平外形でなく、碗部上面が碗部の片側から反対側に向かって斜めの外形をもたせたことにより、液状物質を垂直上下に掬った場合に碗部に、空き容量部分ができ、この空き容量部分に掬った物質を移動させることで、こぼれやすい状況を低減する。【選択図】図１
0003142525.tif 000002
【実用新案登録請求の範囲】
【請求項１】
十分に液状物質または固形物質をすくっても、更に余裕容量部分を確保しており、この余裕容量部分を利用することにより液状物質の液上面または固形物質とすくう容器との境界上面部を、すくう容器の上面以下、またはすくう容器の上面未満にできる構造をもつ、すくう機能を果たす器具。
【考案の詳細な説明】
【技術分野】
【０００１】  本考案は、十分に液状物質または固形物質をすくっても、更に余裕容量部分を確保しており、この余裕容量部分を利用することにより液状物質の液上面または固形物質とすくう容器との境界上面部を、すくう容器の上面以下、またはすくう容器の上面未満にできる構造をもつ、すくう機能を果たす器具に関するものである。
【背景技術】
【０００２】  すくう器具のわかりやすい例として、食器のおたまで説明すると、十分に液状物質または固形物質をすくうと、すくう容器の上面以上に液状物質または固形物質が膨らみ、こぼれやすい状態となる。液状物質の場合は、表面張力が作用していると考えられる。固形物質の場合は固形性状が影響していると考えられる。こぼれやすい状態となった場合の対応として、次の動作スピードを落としたり、すくった物質を少し排出してから次の動作をすることとなる。前記の動作スピードを落としても、すくう容器がわずかに振動しただけでこぼれてしまう問題があった。また、こぼれたことで、周辺を汚す問題があった。【０００３】  特開２０００−９３２８１（Ｐ２０００−９３２８１Ａ）において、介護用スプーンがあるが、この介護用スプーンは、すくう部分にフレームまたは返しが設けられている。本考案は内側には返さないので、同じ考案ではない。内側に返すと加工に手間がかかるため本考案は、余裕容量部分は確保しているが内側へのフレームまたは返しは採用しない。
【考案の開示】
【考案が解決しようとする課題】
【０００４】  十分に液状物質または固形物質をすくっても、すくった物質を再度、排出することなく簡単に、こぼれやすい状態を避けられないか、こぼれることで周辺を汚すことを避けられないかという、こぼれやすさの低減課題がある。動作効率よく、こぼれにくい、安全性の高い、すくう器具を目的とする。こぼれると危険な物質の場合もあり、産業上、有効な課題である。
【課題を解決するための手段】
【０００５】  本考案は、十分に液状物質または固形物質をすくっても、更に余裕容量部分を確保しているすくう器具であり、この余裕容量部分にすくった物質を移動させることで、こぼれやすい状況を低減する。
【考案の効果】
【０００６】  十分に液状物質または固形物質をすくった時のこぼれやすい状態が低減され、周辺を汚すことも低減できる。動作効率よく、こぼれにくい、安全性の高い、すくう器具であり、こぼれると危険な物質の場合でも、有効なものである。
【考案を実施するための最良の形態】
【０００７】  本考案は、十分に液状物質または固形物質をすくっても、更に余裕容量部分を確保しているすくう器具であり、この余裕容量部分にすくった物質を移動させることができる形状を持つ代表例が図１である。【０００８】  材質は、金属系、樹脂系、ガラス系、木質系、セラミックス系、陶器系などが挙げられる。【０００９】  形状は、半球形状に限らず、多角形状などあらゆる形状が挙げられる。
【実施例】
【００１０】  本考案は、十分に液状物質または固形物質をすくっても、更に余裕容量部分を確保しているすくう器具であり、取っ手またはアームまたは取付治具により、すくう部分を傾けたり動作させ、この余裕容量部分にすくった物質を移動させることができる。【００１１】  十分に液状物質または固形物質をすくっても、更に余裕容量部分を確保したすくう機能を果たす器具を簡単にできる方法として、すくう部分を斜めに取付けた場合の取付箇所は取っ手またはアームまたは取付治具に完全に固定したり、または傾きを調整できるようにスライド可能な構造または回転できる構造を持たせ、固定することなどが考えられる。【００１２】  十分に液状物質または固形物質をすくっても、更に余裕容量部分を確保したすくう機能を果たす器具を簡単にできる方法として、すくう部分を斜めにする場合、取っ手またはアームまたは取付治具の一部分をねじるまたは曲げることで斜めを確保することも考えられる。
【産業上の利用可能性】
【００１３】  本考案は、こぼれやすい状態が低減され、周辺を汚すことも低減でき、あらゆるすくう器具として利用可能である。
【図面の簡単な説明】
【００１４】
【図１】本考案の十分に液状物質または固形物質をすくっても、更に余裕容量部分を確保したすくう機能を果たす器具の代表的な外観図である。
【００１５】
【図２】図１の余裕容量部分を利用して、液状物質または固形物質の上面部の位置変化を基準線で概略図示したものである。
【００１６】
【図３】本考案の十分に液状物質または固形物質をすくっても、更に余裕容量部分を確保したすくう機能を果たす器具を簡単にできる方法として、すくう部分を斜めに取付けた代表例の外観図である。また、液状物質の場合の液上面を想像線で表した図である。
【００１７】
【図４】図３の余裕容量部分を利用して、液状物質の上面部の位置変化を想像線で概略図示したものである。
【００１８】
【図５】本考案の十分に液状物質または固形物質をすくっても、更に余裕容量部分を確保したすくう機能を果たす器具において、スプーンやレンゲ形状をした場合のものの代表的な外観図である。
【００１９】
【図６】本考案の十分に液状物質または固形物質をすくっても、更に余裕容量部分を確保したすくう機能を果たす器具において、スプーンやレンゲ形状をした場合の簡単にできる方法として、すくう部分を斜めに取付けた代表例の外観図である。
【００２０】
【図７】本考案の十分に液状物質または固形物質をすくっても、更に余裕容量部分を確保したすくう機能を果たす器具において、シロップカップのような形状をした場合のものの代表的な外観図である。また、液状物質の場合の液上面を想像線で表した図である。
【００２１】
【図８】図７の余裕容量部分を利用して、液状物質の上面部の位置変化を想像線で概略図示したものである。
【符号の説明】
【００２２】１・・・取っ手またはアームまたは取付治具。
２・・・すくう部分
【図１】
0003142525.tif 000003
【図２】
0003142525.tif 000004
【図３】
0003142525.tif 000005
【図４】
0003142525.tif 000006
【図５】
0003142525.tif 000007
【図６】
0003142525.tif 000008
【図７】
0003142525.tif 000009
【図８】
0003142525.tif 000010
【手続補正書】
【提出日】平成20年3月12日(2008.3.12)
【手続補正１】
【補正対象書類名】実用新案登録請求の範囲
【補正対象項目名】全文
【補正方法】変更
【補正の内容】
【実用新案登録請求の範囲】
【請求項１】
弧状の凹部が形成された碗部と、この碗部と一体あるいは固定的に取付けられた取っ手からなる掬う器具のおたま杓子において、液状物質を垂直上下に掬った場合に碗部に、空き容量部分ができ、この空き容量部分を利用することにより液状物質の液上面を碗部の上面未満にできる、前記、碗部側面から見た上面が水平外形でなく、碗部上面が碗部の片側から反対側に向かって斜めの外形をもつことを特徴とするおたま杓子。
【手続補正２】
【補正対象書類名】明細書
【補正対象項目名】全文
【補正方法】変更
【補正の内容】
【考案の詳細な説明】
【技術分野】
【０００１】  本考案は、液状物質を垂直上下に掬った場合に、碗部に、空き容量部分ができ、この空き容量部分を利用することにより液状物質の液上面を碗部の上面未満にできる、前記碗部上面が水平外形でなく、碗部上面が碗部の片側から反対側に向かって斜めの外形をもつことを特徴とするこぼれにくいおたま杓子に関するものである。
【背景技術】
【０００２】  掬うための碗部上面が水平外形であるおたま杓子がある。掬うための碗部上面が水平外形であるおたま杓子で液状物質を掬うと、碗部の上面以上に液状物質が膨らみ、こぼれやすい状態となる。液状物質の表面張力が作用していると考えられる。こぼれやすい状態となった場合の対応として、次の動作スピードを落としたり、掬った物質を少し排出してから次の動作をすることとなる。前記の動作スピードを落としても、おたま杓子がわずかに振動しただけでこぼれてしまう問題があった。また、こぼれたことで、周辺を汚す問題があった。
【考案の開示】
【考案が解決しようとする課題】
【０００３】  液状物質を掬ってこぼれやすくなった場合でも、液状物質を再度、排出することなく簡単に、こぼれやすい状態を避けられないか、こぼれることで周辺を汚すことを避けられないかという、こぼれやすさの低減課題がある。動作効率よく、こぼれにくい、安全性の高い、掬う器具であるおたま杓子を目的とする。こぼれると危険な物質の場合もあり、産業上、有効な課題である。
【課題を解決するための手段】
【０００４】  本考案は、おたま杓子の碗部上面が水平外形でなく、碗部上面が碗部の片側から反対側に向かって斜めの外形をもたせたことにより、液状物質を垂直上下に掬った場合に碗部に、空き容量部分ができ、この空き容量部分に掬った物質を移動させることで、こぼれやすい状況を低減する。
【考案の効果】
【０００５】  液状物質を掬った時のこぼれやすい状態が低減され、周辺を汚すことも低減できる。動作効率よく、こぼれにくい、安全性の高い、おたま杓子であり、こぼれると危険な物質の場合でも、有効なものである。
【考案を実施するための最良の形態】
【０００６】  本考案は、おたま杓子の碗部上面が水平外形でなく、碗部上面が碗部の片側から反対側に向かって斜めの外形をもたせたことにより、液状物質を垂直上下に掬った場合に碗部に、空き容量部分ができ、この空き容量部分に掬った物質を移動させることができる。代表例が図１である。【０００７】  材質は、金属系、樹脂系、ガラス系、木質系、セラミックス系、陶器系などが挙げられる。【０００８】  碗部形状は、半球形状に限らず、多角形状などあらゆる形状が挙げられる。
【実施例】
【０００９】  本考案は、碗部上面を碗部の片側から反対側に向かって斜めの外形をもたせたことにより垂直上下に掬った場合に碗部に、空き容量部分ができ、取っ手により碗部を傾ける動作をとると、この空き容量部分に掬った物質を移動させることができる。移動させたことにより、液上面を碗部上面より低くすることが可能となる。
【産業上の利用可能性】
【００１０】  本考案は、こぼれやすい状態が低減され、周辺を汚すことも低減できる掬う器具のおたま杓子として利用可能である。
【図面の簡単な説明】
【００１１】
【図１】本考案の碗部上面を碗部の片側から反対側に向かって斜めの外形をもたせたことにより垂直上下に掬った場合に碗部に、空き容量部分ができるおたま杓子の代表的な外観図である。
【００１２】
【図２】図１の空き容量部分を利用して、取っ手により碗部を傾ける動作をとったことでの、液状物質の液上面部の位置変化を基準線で概略図示したものである。
【００１３】
【図３】碗部上面が水平外形であるおたま杓子の碗部分を取っ手に斜めに取付けたことで空き容量を確保した代表例の外観図である。また、液状物質の液上面を想像線で表した図である。
【００１４】
【図４】図３の空き容量部分を利用して、取っ手により碗部を傾ける動作をとったことでの、液状物質の液上面部の位置変化を想像線で概略図示したものである。
【符号の説明】
【００１５】  １・・・取っ手  ２・・・碗部  ３・・・空き容量部分
【手続補正３】
【補正対象書類名】図面
【補正対象項目名】図１
【補正方法】変更
【補正の内容】
【図１】
0003142525.tif 000011
【手続補正４】
【補正対象書類名】図面
【補正対象項目名】図３
【補正方法】変更
【補正の内容】
【図３】
0003142525.tif 000012
【手続補正５】
【補正対象書類名】図面
【補正対象項目名】図５
【補正方法】削除
【補正の内容】
【手続補正６】
【補正対象書類名】図面
【補正対象項目名】図６
【補正方法】削除
【補正の内容】
【手続補正７】
【補正対象書類名】図面
【補正対象項目名】図７
【補正方法】削除
【補正の内容】
【手続補正８】
【補正対象書類名】図面
【補正対象項目名】図８
【補正方法】削除
【補正の内容】